(57)【要約】  キャビネットの蓋に取り付けられる施錠ケースと、この施錠ケース内に進退自在に配置された施錠ボルトと、施錠ケース内で施錠ボルトを施錠ケースから突出するように付勢して蓋がキャビネットの本体から離反しないようにロックするばねと、施錠ボルトをばねの付勢力に抗して施錠位置から解錠位置に変位するためのカムを含むキーとを備え、施錠ケースは、蓋の外面に露出するように取り付けられ、キーは、カムの上下に施錠ケースの上下の壁の支持孔に回転自在に保持される軸杆部を有していて、キーをキャビネットの蓋ではなく、施錠具に支持するようにする。
2012020639.tif 000002
【特許請求の範囲】
【請求項１】
開閉物体の蓋（又は扉）又は本体のいずれかに取り付けられる施錠ケースと、前記施錠ケース内に進退自在に配置された施錠ボルトと、前記施錠ボルトを前記施錠ケースから突出するように付勢するばねと、前記施錠ボルトを前記ばねの付勢力に抗して施錠位置から解錠位置に変位するためのカムを含むキーとを備えている施錠具において、前記キーは、前記カムの上下に軸杆部を有し、前記上下の軸杆部は、前記施錠ケースの支持部に回転自在に保持されることを特徴とする施錠具。
【請求項２】
請求項１に記載の施錠具であって、前記支持部は、前記施錠ケースの上下の壁に設けられていることを特徴とする施錠具。
【請求項３】
請求項１又は請求項２に記載の施錠具であって、前記施錠ボルトは、前記キーの軸杆部が貫通するキー貫通孔を有することを特徴とする施錠具。
【請求項４】
請求項３に記載の施錠具であって、前記キー貫通孔は、前記施錠ボルトの進退に干渉しないように長孔の形態であることを特徴とする施錠具。
【請求項５】
請求項１乃至請求項４のいずれかに記載の施錠具であって、前記上方の軸杆部を支持する支持部は、前記キーのカムが貫通するカム貫通孔に連続して形成されていることを特徴とする施錠具。
【発明の詳細な説明】
【技術分野】
【０００１】
本発明は、建物やキャビネット、コンテナの如き蓋（又は扉）を有する開閉物体の蓋を開閉物体の本体に施錠する施錠具の改良に関するものである。
【背景技術】
【０００２】
開閉物体の蓋を開閉物体の本体に施錠する施錠具の従来技術の一例が特許文献１である実開平３−９２２７９号に開示されており、この従来技術による施錠具は、開閉物体の蓋又は本体に取り付けられるケース２と、このケース２内に進退自在に配置された施錠ボルト（錠止め体）９と、ケース２と施錠ボルト９との間に配置され蓋（開閉体）１が本体（固定枠体）５に閉じられた状態では施錠ボルト９をケース２から突出するように付勢して蓋１が本体５から離反しないようにロックするばね７とから成っている。この施錠具は、施錠ボルト９をばね７の付勢力に抗して施錠位置から解錠位置に変位したり解錠位置から施錠位置に変位したりするためのキー（ハンドル棒）１０を備えており、このキー１０は、その軸杆をケース２内に挿入し施錠ボルト９を解錠方向に変位するカム１４を含んでいる（特許文献１参照）。【０００３】
この従来技術の施錠具は、特許文献１の図１及び図３に示すように、キー１０を施錠具のケース２内で安定して回転することができるようにするために、蓋１にその厚み方向に延びてキー１０の軸杆を案内して軸受けする軸受け筒（案内筒体）４を有することが必要であった。【０００４】
このため、従来技術の施錠具は、蓋１は、厚みのある形態の蓋を有する開閉物体には有効に適用することができるが厚みの小さい蓋を有する開閉物体には適切に使用することが困難であり、また蓋側にキーの回転支持手段を必要とし構造が複雑となる欠点があった。
【先行技術文献】
【特許文献】
【０００５】
【特許文献１】実開平３-９２２７９号公報
【発明の概要】
【発明が解決しようとする課題】
【０００６】
本発明が解決しようとする課題は、厚みの小さい蓋（又は扉）を有する開閉物体にも有効に適用することができ、また蓋側にキーの支持手段を必要としない施錠具を提供することにある。
【課題を解決するための手段】
【０００７】
本発明の課題解決手段は、開閉物体の蓋（又は扉）又は本体のいずれかに取り付けられる施錠ケースと、前記施錠ケース内に進退自在に配置された施錠ボルトと、前記施錠ボルトを前記施錠ケースから突出するように付勢するばねと、前記施錠ボルトを前記ばねの付勢力に抗して施錠位置から解錠位置に変位するためのカムを含むキーとを備えている施錠具において、前記キーは、前記カムの上下に軸杆部を有し、前記上下の軸杆部は、前記施錠ケースの支持部に回転自在に保持されることを特徴とする施錠具を提供することにある。【０００８】
本発明の課題解決手段において、前記キーの上下の軸杆部を支持する支持部は、施錠ケースの中間壁の如き任意の位置に設けることができるが、特に、これらの支持部は、施錠ケースの上下の壁に設けられているのが好ましい。【０００９】
本発明の課題解決手段において、前記施錠ボルトは、前記キーの軸杆部が貫通するキー貫通孔を有するものとすることができ、この場合、前記キー貫通孔は、前記施錠ボルトの進退に干渉しないように長孔の形態とするのが好ましい。【００１０】
また、本発明の課題解決手段において、前記上方の軸杆部を支持する支持部は、前記キーのカムが貫通するカム貫通孔に連続して形成されている形態とすることができる。
【発明の効果】
【００１１】
本発明によれば、施錠具を施解錠するキーは、開閉物体に支持されるのではなく、施錠具の施錠ケースに支持されるので、従来技術のように、キーを安定状態で回転することができるようにするのに充分な厚みを開閉物体の蓋に維持する必要がなく、厚みの小さい蓋を有する開閉物体にも容易に適用することができ、また開閉物体側に施錠具のキーを支持する構造を設ける必要がないので、開閉物体に複雑な構造が要求されることがなく、適宜の形態の開閉物体に適用することができる。
【図面の簡単な説明】
【００１２】
【図１】本発明の施錠具が使用されているキャビネットを示し、同図（Ａ）は、一部を破断して示すキャビネットの正面図、同図（Ｂ）は、１つの施錠具が取り付けられているキャビネット部分の拡大正面図である。
【図２】本発明の１つの実施の形態による施錠具を示し、同図（Ａ）は、その施錠状態の斜視図、同図（Ｂ）は、その解錠状態の斜視図、同図（Ｃ）は、施錠状態であるが、キーを外した状態の斜視図、同図（Ｄ）は、キーを含む全体の分解斜視図である。
【図３】図２の施錠具の施錠状態を種々の方向から見た状態を示し、同図（Ａ）乃至（Ｅ）は、それぞれ正面図、上面図、下面図、左側面図、右側面図、同図（Ｆ）は、同図（Ａ）のＦ−Ｆ線断面図である。
【図４】図２の施錠具の解錠状態を種々の方向から見た状態を示し、同図（Ａ）乃至（Ｅ）は、それぞれ正面図、上面図、下面図、左側面図、右側面図である。
【図５】図２の施錠具の施錠状態であるが、キーを外した状態を種々の方向から見た状態を示し、同図（Ａ）乃至（Ｅ）は、それぞれ正面図、上面図、下面図、左側面図、右側面図である。
【図６】図２の施錠具の施錠ケースを示し、同図（Ａ）乃至（Ｆ）は、それぞれ、その正面図、上面図、下面図、左側面図、右側面図、同図（Ｂ）のＦ−Ｆ線断面図である。
【図７】図２の施錠具の施錠ボルトを示し、同図（Ａ）乃至（Ｆ）は、それぞれ、その正面図、上面図、下面図、左側面図、右側面図、背面図である。
【図８】図２の施錠具のキーを示し、同図（Ａ）乃至（Ｆ）は、それぞれ、その正面図、上面図、下面図、左側面図、右側面図、背面図である。
【図９】図２の施錠具が施錠状態にある時の開閉物体と施錠具との関係を示し、同図（Ａ）乃至（Ｃ）は、それぞれ、その上面図、同図（Ａ）の縦断面図、同図（Ａ）のＣ−Ｃ線の断面図である。
【図１０】図２の施錠具が半解錠状態にある時の開閉物体と施錠具との関係を示し、同図（Ａ）乃至（Ｃ）は、それぞれ、その上面図、同図（Ａ）の縦断面図、同図（Ａ）のＣ−Ｃ線の断面図である。
【図１１】図２の施錠具が解錠状態にある時の開閉物体と施錠具との関係を示し、同図（Ａ）乃至（Ｃ）は、それぞれ、その上面図、同図（Ａ）の縦断面図、同図（Ａ）のＣ−Ｃ線の断面図である。
【図１２】図２の施錠具が施錠状態であるが、キーを取り外した状態にある時の開閉物体と施錠具との関係を示し、同図（Ａ）乃至（Ｃ）は、それぞれ、その上面図、同図（Ａ）の縦断面図、同図（Ａ）のＣ−Ｃ線の断面図である。
【図１３】図２の施錠具が施錠状態、半解錠状態、解錠状態及びキーが取り外された施錠状態にそれぞれある時の開閉物体と施錠具との関係を図９から図１２とは異なる位置で切断して示されており、同図（Ａ）乃至（Ｄ）は、それぞれ、図９（Ａ）乃至図１２（Ａ）の１３Ａ−１３Ａ、１３Ｂ−１３Ｂ、１３Ｃ−１３Ｃ及び１３Ｄ―１３Ｄ線の断面図である。
【発明を実施するための形態】
【００１３】
本発明の施錠具１０は、例えば、図１及び図９乃至図１２に示すように、例えば、開閉物体であるキャビネット１の本体１Ｂに蓋１Ｃを施錠するために、蓋１Ｃの四隅に取り付けられ、蓋１Ｃを閉じた後、施錠具１０を施錠状態にすると（図９、図１２参照）、蓋１Ｃが本体１Ｂから離れることができないで蓋１Ｃをロックするように機能する。
【００１４】
本発明の施錠具１０の１つの実施の形態が図３乃至図５に示されており、この施錠具１０は、開閉物体であるキャビネット１の蓋１Ｃ（又は扉）又は本体１Ｂのいずれか、図示の形態では、蓋１Ｃに取り付けられるべき施錠ケース２０と、この施錠ケース２０内に進退自在に配置された施錠ボルト３０と、施錠ケース２０内で施錠ケース２０の内底２０ＲＳと施錠ボルト３０の後端３０ＲＥとの間に配置され蓋１Ｃが本体１Ｂに閉じられた状態で施錠ボルト３０を施錠ケース２０から突出するように付勢して蓋１Ｃが本体１Ｂから離反しないようにロックするばね４０と、施錠ボルト３０をばね４０の付勢力に抗して施錠位置から解錠位置に変位したり解錠位置から施錠位置に変位したりするためのカム５２を含むキー５０を備えている。
【００１５】
施錠ケース２０は、図６に示すように、略矩形状のケース本体２２と、このケース本体２２の上面に設けられた鍔２２ＷＵＦ付きの上壁２２ＷＵとを有し、ケース本体２２は、正面と背面と右側面とが壁２２ＷＦ、２２ＷＢ、２２ＷＲＳで閉じられ、左側面が開いている。右側面の壁２２ＷＲＳの内面が施錠ケース２０の内底２０ＲＳを構成している。
【００１６】
また、この施錠ケース２０は、正面と背面の壁２２ＷＦ、２２ＷＢにそれぞれ外側に斜め上方に広がる抜け止め爪２６Ｆ、２６Ｂを有し、これらの抜け止め爪２６Ｆ、２６Ｂは、それぞれ図９（Ｂ）、図１０（Ｂ）、図１１（Ｂ）及び図１２（Ｂ）に示すように、その広がった先端が蓋１Ｃの下面に係合して施錠ケース２０を抜け止めすると同時に、蓋１Ｃの上面に係合する上壁２２ＷＵの鍔２２ＷＵＦと共に、施錠ケース２０を蓋１Ｃに保持している。なお、施錠ケース２０は、抜け止め爪２６Ｆ、２６Ｂに対応して、その正面と背面の壁２２ＷＦ、２２ＷＢに抜け止め爪２６Ｆ、２６Ｂが収納されることができる孔（又は凹部）２６ＦＨ、２６ＢＨを有する。これらの孔２６ＦＨ、２６ＢＨは、施錠ケース２０を蓋１Ｃの取付け孔１ＣＨ（図９（Ｃ）参照）を貫通する際に抜け止め爪２６Ｆ、２６Ｂが弾性的に折り畳まれて施錠ケース２０が蓋１Ｃの取付け孔１ＣＨを貫通するのを許す働きを有する。
【００１７】
また、施錠ケース２０は、その開口２２Ｈ側に近い位置で正面と背面との壁２２ＷＦ、２２ＷＢにボルト抜け止め案内孔（又は凹部）２８Ｆ、２８Ｂ（図６（Ａ）、（Ｆ）参照）を有し、これらのボルト抜け止め案内孔２８Ｆ、２８Ｂは、後に述べるように、施錠ボルト３０が施錠ケース２０から抜け止めされつつ前後に進退する際に施錠ボルト３０を案内する機能を有する。
【００１８】
更に、施錠ケース２０は、図２（Ｃ）、図２（Ｄ）に示すように、後に述べるキー５０のカム５２が差し込まれるのを許すキー差込み孔２２ＷＵＨを上壁２２ＷＵに有するが、その詳細は、後に述べる。
【００１９】
施錠ボルト３０は、図２（Ｄ）及び図７に示すように、施錠ケース２０内に摺動自在に収納される形態を有する。更に詳細に述べると、施錠ボルト３０は、施錠ケース２０の正背面の壁２２ＷＦ、２２ＷＢと上壁２２ＷＵと下壁２２ＷＬの内面に摺動自在にそれぞれ係合する相応する面３０ＷＦ、３０ＷＢ、３０ＷＵ、３０ＷＬを有し、また、その先端（施錠ケース２０の内底２０ＲＳに対面する側とは反対側の端部）に蓋１Ｃを本体１Ｂにロックするロック片３２を有する。
【００２０】
また、この施錠ボルト３０は、特に、図２（Ｄ）、図７（Ａ）、図９（Ｂ）、図１０（Ｂ）、図１１（Ｂ）及び図１２（Ｂ）に示すように、後に述べるキー５０のカム５２が係合しつつ回転するのを許すカム係合溝３４を有する。キー５０と施錠ボルト３０との関係は、施錠具の動作と関連して後に詳細に述べる。
【００２１】
更に、この施錠ボルト３０は、施錠ケース２０に関連して先に述べた抜け止め案内孔２８Ｆ、２８Ｂに係入する切り抜き弾性爪３６Ｆ、３６Ｂを有し、これらの弾性爪３６Ｆ、３６Ｂは、施錠ボルト３０を施錠ケース２０内に挿入される際に窄まれるが、これらの弾性爪３６Ｆ、３６Ｂが施錠ケース２０の抜け止め案内孔２８Ｆ、２８Ｂに達すると、その弾性で広がって施錠ケース２０の抜け止め案内孔２８Ｆ、２８Ｂ内を抜け止めされながら案内される。
【００２２】
図９（Ｂ）（Ｃ）、図１０（Ｂ）（Ｃ）、図１１（Ｂ）（Ｃ）、図１２（Ｂ）（Ｃ）及び図１３（Ａ）乃至（Ｄ）に示すように、ばね４０は、施錠ケース２０の内底２０ＲＳと施錠ボルト３０の後端３０ＲＥとの間に配置されているが、施錠ボルト３０側では施錠ボルト３０のばね受け入れ凹部３０Ｒ（図７（Ｅ）、図９（Ｃ）参照）に係入している。
【００２３】
キー５０は、図２（Ｄ）、図３（Ｆ）、図８及び図１３（Ａ）乃至（Ｃ）に示すように、カム５２の上下に施錠ケース２０の上壁２２ＷＵと下壁２２ＷＬにそれぞれ設けられた孔の形態の支持部（以下実施の形態では支持孔と称する）２２ＷＵＨ、２２ＷＬＨに回転自在に保持される軸杆部５４Ｕ、５４Ｌを有する。
【００２４】
図２（Ｄ）、図３（Ｆ）、図５（Ｂ）に示すように、上壁２２ＷＵ側の支持孔２２ＷＵＨは、キー５０のカム５２が貫通するカム貫通孔２２ＣＨに連続して形成されてキー差し込み孔２２ＫＨを構成している。
【００２５】
また、施錠ボルト３０は、キー５０の下方の軸杆部５４Ｌが貫通する貫通孔３０ＢＨを有する底壁３０Ｂを含み、この貫通孔は、図１１（Ｂ）及び図１２（Ｂ）に示すように、施錠ボルト３０の進退に干渉しないように長孔の形態となっている。
【００２６】
図９（Ｂ）、図１０（Ｂ）及び図１１（Ｃ）から解るようにキー５０を施錠ケース２０と施錠ボルト３０とに差し込んで、キー５０のカム５２を軸杆部５４Ｕ、５４Ｌの軸心を中心に図９（Ａ）で見て反時計方向に回転すると、施錠ボルト３０のカム係合溝３４のカム押面３４Ｐ（図１０（Ｂ）参照）を押してばね４０に抗してこのばね４０を圧縮しつつ施錠ボルト３０を施錠ケース２０の奥に引き込んで施錠ボルト３０を解錠方向に変位する（図９から図１０への変位参照）。このようにして、施錠ボルト３０が完全に解錠状態になるまでカム５２を噛む回転すると、カム５２の位置決め凹部５２Ｒとカム係合溝３４の隅部３４Ｃとが相互に係合して完全解錠状態が保持される（図１１（Ｂ）参照）。なお、この施錠ボルト３０の引き込みに際して、キー５０の軸杆部５４Ｌは、施錠ボルト３０の長孔の形態の貫通孔３０ＢＨを貫通しているので、施錠ボルト３０の引き込みに干渉することはない。図１のキャビネットにおいて、４つの施錠具１０を解錠状態にすると、蓋２を開くことができる。
【００２７】
蓋２を閉じた後、蓋２を施錠するために、キー５０を図１１の位置から時計方向に回転すると、図１０の位置を経て図９に示すように施錠ボルト３０がばね４０の伸長力によって施錠ボルト３０のロック片３２が施錠ケース２０から突出するように前進し、施錠ボルト３０を図９に示す施錠位置に戻す。この位置でキー５０を施錠ケース２０及び施錠ボルト３０から抜き出して蓋２を施錠する。
【００２８】
キー５０は、図１３から解るように、そのカム５２の上下の軸杆部５４Ｕ、５４Ｌを施錠ケース２０の上壁２２ＷＵと底壁２２ＷＬにそれぞれ設けられた支持孔２２ＷＵＨ、２２ＷＢＨに回転自在に支持されているので、施錠具１０の施錠・解錠操作を安定して行うことができるが、このキー５０の安定的な支持は、施錠具１０内で行うので、従来技術のように、開閉物体の蓋にキーを安定的に支持する構造を設ける必要がなく、また厚みの小さい蓋にも適用することができることが解る。
【産業上の利用可能性】
【００２９】
本発明の施錠具においては、施錠ボルトを施解錠操作するキーは、開閉物体側ではなく、施錠具側に安定的に支持されるので、厚みの小さい蓋を有する開閉物体にも容易に適用することができ、また開閉物体側に施錠具のキーを支持する構造を設ける必要がなく、開閉物体に複雑な構造が要求されることがなく、高い産業上の利用性を有する。
【符号の説明】
【００３０】
１        キャビネット
１Ｂ      本体
１Ｃ      蓋（又は扉）
１ＣＨ    取付け孔
１０        施錠具
２０        施錠ケース
２０ＲＳ    内底
２２        略矩形状のケース本体
２２Ｈ      開口
２２ＫＨ    キー差し込み孔
２２ＣＨ    カム貫通孔
２２ＷＵ    上壁
２２ＷＵＦ  鍔
２２ＷＦ    正面壁
２２ＷＢ    背面壁
２２ＷＬ    下壁
２２ＷＵＨ、２２ＷＬＨ  キー支持孔
２６Ｆ、２６Ｂ  抜け止め爪
２６ＦＨ、２６ＢＨ  孔（又は凹部）
２８Ｆ、２８Ｂ  ボルト抜け止め案内孔
３０        施錠ボルト
３０Ｂ      底壁
３０ＢＨ    長孔の形態のキー貫通孔
３０ＷＦ、３０ＷＢ、３０ＷＵ、３０ＷＬ  施錠ボルトの正面壁、背面壁、上壁、下壁
３０Ｒ      ばね受け入れ凹部
３０ＲＥ    後端
３２        ロック片
３４        カム係合溝
３４Ｃ      隅部
３４Ｐ      カム押面
３６Ｆ、３６Ｂ  切り抜き弾性爪
４０        ばね
５０        キー
５２        カム
５２Ｒ      位置決め凹部
５４Ｕ、５４Ｌ  上下の軸杆部
【図１】
2012020639.tif 000003
【図２】
2012020639.tif 000004
【図３】
2012020639.tif 000005
【図４】
2012020639.tif 000006
【図５】
2012020639.tif 000007
【図６】
2012020639.tif 000008
【図７】
2012020639.tif 000009
【図８】
2012020639.tif 000010
【図９】
2012020639.tif 000011
【図１０】
2012020639.tif 000012
【図１１】
2012020639.tif 000013
【図１２】
2012020639.tif 000014
【図１３】
2012020639.tif 000015
【手続補正書】
【提出日】平成25年2月12日(2013.2.12)
【手続補正１】
【補正対象書類名】特許請求の範囲
【補正対象項目名】全文
【補正方法】変更
【補正の内容】
【特許請求の範囲】
【請求項１】
開閉物体の蓋又は扉、又は開閉物体の本体のいずれかに取り付けられる施錠ケースと、  前記施錠ケース内に進退自在に配置された施錠ボルトと、
前記施錠ボルトを前記施錠ケースから突出するように付勢するばねと、
前記施錠ボルトを前記ばねの付勢力に抗して施錠位置から解錠位置に変位するためのカムを含むキーと
を備えている施錠具において、
前記キーは、前記カムの上下に軸杆部を有し、前記上下の軸杆部は、前記施錠ケースの支持部に回転自在に保持されること、
および、
前記施錠ボルトは、前記キーの軸杆部が貫通するキー貫通孔を有すること
を特徴とする施錠具。
【請求項２】
請求項１に記載の施錠具であって、
前記支持部は、前記施錠ケースの上下の壁に設けられていること
を特徴とする施錠具。
【請求項３】
請求項１に記載の施錠具であって、
前記施錠ボルトにおける前記キー貫通孔は、長孔の形態であり、前記キーの軸杆部は、前記施錠ボルトの引き込みに干渉しないようにその長孔形態のキー貫通孔を貫通していること
を特徴とする施錠具。
【請求項４】
請求項１乃至請求項３のいずれかに記載の施錠具であって、
前記上方の軸杆部を支持する支持部は、前記キーのカムが貫通するカム貫通孔に連続して形成されていること
を特徴とする施錠具。
【国際調査報告】
2012020639.tif 000016
2012020639.tif 000017